(57)【要約】【課題】  電子メールを用いてオリジナルデータを編集すること。【解決手段】  画像編集装置は、オリジナルデータの画像を、複数の領域に分割するデータ分割部１５３と、分割された前記複数の領域それぞれに、当該領域を識別するための識別情報を関連付ける領域特定部１５５と、オリジナルデータの画像に、複数の領域それぞれに対して当該領域を囲む区分画像と当該領域の識別情報の画像を配置した編集用画像を生成する編集用画像生成部１５７と、編集用画像を含む編集用電子メールを送信する編集用電子メール送信部１５９と、編集用の電子メールに対して返信される返信メールから特定された編集指示に基づいて、オリジナルデータを更新した編集後データを生成する編集実行部１６７と、編集後データを出力する出力部１７１と、を含む。【選択図】        図５
2014220652.tif 000002
【特許請求の範囲】
【請求項１】
オリジナルデータの画像を、複数の領域に分割するデータ分割手段と、
分割された前記複数の領域それぞれに、当該領域を識別するための識別情報を関連付ける領域特定手段と、
前記オリジナルデータの画像に、前記複数の領域それぞれに対して当該領域を囲む区分画像と当該領域の識別情報の画像を前記区分画像と関連付けて配置した編集用画像を生成する編集用画像生成手段と、
前記生成された編集用画像を含む編集用の電子メールを送信する編集用電子メール送信手段と、
前記送信された編集用の電子メールに対して返信される返信用の電子メールを受信することに応じて、前記受信された返信用の電子メールに含まれる編集指示を特定する編集指示特定手段と、
前記特定された編集指示に基づいて、前記オリジナルデータを更新した編集後データを生成する編集実行手段と、
前記生成された編集後データを出力する出力手段と、を備えた、画像編集装置。
【請求項２】
前記編集用の電子メールは、前記複数の領域ごとに編集指示を作成するための支援情報と、前記複数の領域のうち編集の対象となる領域の識別情報を入力するための領域と、編集の対象となる領域に対するコマンドを入力するための領域と、を含む、請求項１に記載の画像編集装置。
【請求項３】
前記編集指示は、前記複数の領域のうち編集の対象となる編集対象領域の識別情報と、前記編集対象領域の配置を変更するコマンドまたは前記編集対象領域を削除するコマンドとの組を、含み、
前記返信用の電子メールは、前記編集指示が記述された文字列を含む、請求項１または２に記載の画像編集装置。
【請求項４】
前記編集指示は、添付した画像を新規に使用することを示す情報と、前記新規の画像を追加する位置を指定するための領域の識別情報または前記新規の画像と置き換える領域の識別情報と、追加または置換のためのコマンドとの組を、含み、
前記返信用の電子メールは、前記編集指示が記述された文字列を含む、請求項１〜３のいずれかに記載の画像編集装置。
【請求項５】
前記送信された編集用の電子メールに対して返信される返信用の電子メールを受信することに応じて、前記受信された返信用の電子メールに含まれる構成変更指示を特定する構成変更指示特定手段を、さらに備え、
前記分割手段は、前記特定された構成変更指示に基づいて、前記オリジナルデータを分割した前記複数の領域を変更する再分割手段を含む、請求項１〜４のいずれかに記載の画像編集装置。
【請求項６】
前記編集用の電子メールは、前記複数の領域ごとに構成変更指示を作成するための支援情報と、前記複数の領域のうち構成変更の対象となる領域の識別情報を入力するための領域と、構成変更の対象となる領域に対するコマンドを入力するための領域と、を含む、請求項５に記載の画像編集装置。
【請求項７】
前記構成変更指示は、前記複数の領域のうち構成変更の対象となる領域の識別情報と、構成変更の対象となる少なくとも１つの領域を分割または結合するためのコマンドとの組を、含み、
前記返信用の電子メールは、前記構成変更指示が記述された文字列を含む、請求項５または６に記載の画像編集装置。
【請求項８】
前記出力手段は、前記生成された編集後データを含む電子メールを返信する確認用データ送信手段と、
前記確認用データ送信手段によって送信された電子メールに含まれる編集後データを承認する電子メールを受信することを条件に前記生成された編集後データを出力する確認手段と、を含む、請求項１〜７のいずれかに記載の画像編集装置。
【請求項９】
前記編集指示受付手段は、前記編集後データに対する編集指示をさらに受け付け、
前記編集実行手段は、受け付けられた編集指示に基づいて、前記編集後データをさらに編集し、新たな編集後データを生成する、請求項１記載の画像編集装置。
【請求項１０】
オリジナルデータの画像を、複数の領域に分割するデータ分割ステップと、
分割された前記複数の領域それぞれに、当該領域を識別するための識別情報を関連付ける領域特定ステップと、
前記オリジナルデータの画像に、前記複数の領域それぞれに対して当該領域を囲む区分画像と当該領域の識別情報の画像を前記区分画像と関連付けて配置した編集用画像を生成する編集用画像生成ステップと、
前記生成された編集用画像を添付した編集用の電子メールを送信する編集用画像送信ステップと、
前記送信された編集用の電子メールに対して返信される返信用の電子メールを受信することに応じて、前記受信された返信用の電子メールに含まれる編集指示を特定する編集指示特定ステップと、
前記特定された編集指示に基づいて、前記オリジナルデータを更新した編集後データを生成する編集実行ステップと、
前記生成された編集後データを出力する出力ステップと、を画像編集装置に実行させる画像編集方法。
【請求項１１】
オリジナルデータの画像を、複数の領域に分割するデータ分割ステップと、
分割された前記複数の領域それぞれに、当該領域を識別するための識別情報を関連付ける領域特定ステップと、
前記オリジナルデータの画像に、前記複数の領域それぞれに対して当該領域を囲む区分画像と当該領域の識別情報の画像を前記区分画像と関連付けて配置した編集用画像を生成する編集用画像生成ステップと、
前記生成された編集用画像を添付した編集用の電子メールを送信する編集用画像送信ステップと、
前記送信された編集用の電子メールに対して返信される返信用の電子メールを受信することに応じて、前記受信された返信用の電子メールに含まれる編集指示を特定する編集指示特定ステップと、
前記特定された編集指示に基づいて、前記オリジナルデータを更新した編集後データを生成する編集実行ステップと、
前記生成された編集後データを出力する出力ステップと、をコンピュータに実行させる画像編集プログラム。
【発明の詳細な説明】
【技術分野】
【０００１】
この発明は、画像編集装置、画像編集方法および画像編集プログラムに関し、特に、携帯情報装置と通信可能な画像編集装置、その画像編集装置で実行される画像編集方法および画像編集プログラムに関する。
【背景技術】
【０００２】
複合機（ＭＦＰ）でプリントアウトした用紙を用いて、会議で打ち合わせ中に、内容に軽度の変更が必要となる場合がある。この場合、従来は、パーソナルコンピュータ（ＰＣ）で、ワードプロセッサーなどのアプリケーションプログラムを実行させ、プリントアウトした用紙上に画像形成したデータの元のオリジナルデータを再編集し、編集後のオリジナルデータをプリントアウトしなければならなかった。
【０００３】
特開２００８―０７２１７２号公報には、撮影対象を写すことによって生成された画像データを解析することにより、該画像データを撮影対象に基づいて所定の複数の類別に分類した後、該類別に応じた補正を加える画像処理装置であって、前記画像データに加える補正内容を、前記類別毎に記憶している補正内容記憶手段と、前記画像データを解析することにより、該画像データの前記各類別に対する合致度を検出する合致度検出手段と、前記検出された各類別の合致度を修正する合致度修正手段と、前記類別毎に記憶されている補正内容を、前記修正された合致度に応じた割合で反映させることにより、前記画像データに補正を加える画像データ補正手段とを備える画像処理装置が記載されている。
【０００４】
しかしながら、従来の画像処理装置は、画像データ中を部分的に異なる画像処理を実行することはできるが、画像データ中の複数の部分を変更することはできないといった問題がある。
【特許文献１】特開２００８―０７２１７２号公報
【発明の概要】
【発明が解決しようとする課題】
【０００５】
この発明は上述した問題点を解決するためになされたもので、この発明の目的の一つは、電子メールを用いてオリジナルデータを編集することが可能な画像編集装置を提供することである。
【０００６】
この発明の他の目的は、電子メールを用いてオリジナルデータを編集することが可能な画像編集方法を提供することである。
【０００７】
この発明のさらに他の目的は、電子メールを用いてオリジナルデータを編集することが可能な画像編集プログラムを提供することである。
【課題を解決するための手段】
【０００８】
上述した目的を達成するためにこの発明のある局面によれば、画像編集装置は、オリジナルデータの画像を、複数の領域に分割するデータ分割手段と、分割された複数の領域それぞれに、当該領域を識別するための識別情報を関連付ける領域特定手段と、オリジナルデータの画像に、複数の領域それぞれに対して当該領域を囲む区分画像と当該領域の識別情報の画像を区分画像と関連付けて配置した編集用画像を生成する編集用画像生成手段と、生成された編集用画像を含む編集用の電子メールを送信する編集用電子メール送信手段と、送信された編集用の電子メールに対して返信される返信用の電子メールを受信することに応じて、受信された返信用の電子メールに含まれる編集指示を特定する編集指示特定手段と、特定された編集指示に基づいて、オリジナルデータを更新した編集後データを生成する編集実行手段と、生成された編集後データを出力する出力手段と、を備える。
【０００９】
この局面に従えば、オリジナルデータの画像が複数の領域に分割され、複数の領域それぞれに対して当該領域を囲む区分画像と当該領域の識別情報の画像を区分画像と関連付けた編集用画像が生成され、編集用画像を含む編集用の電子メールが送信される。そして、編集用の電子メールに対して返信される返信用の電子メールに含まれる編集指示が特定され、編集指示に基づいて、オリジナルデータを更新した編集後データが生成され、出力される。編集用の電子メールに含まれる編集用画像は、複数の領域それぞれに対して当該領域を囲む区分画像と当該領域の識別情報の画像を区分画像と関連付けるので、ユーザーは、編集用画像で、オリジナルデータの複数の部分をそれぞれ特定することができる。また、編集用の電子メールに対して返信される返信用の電子メールに含まれる編集指示に基づいて、オリジナルデータが更新されるので、ユーザーは返信用の電子メールを生成することにより、オリジナルデータを更新することができる。ユーザーは、編集用画像を含む電子メールを受信する場合に、その電子メールに編集指示を入力して返信する簡単な操作でオリジナルデータを編集することができる。その結果、電子メールを用いてオリジナルデータを編集することが可能な画像編集装置を提供することができる。
【００１０】
好ましくは、編集用の電子メールは、複数の領域ごとに編集指示を作成するための支援情報と、複数の領域のうち編集の対象となる領域の識別情報を入力するための領域と、編集の対象となる領域に対するコマンドを入力するための領域と、を含む。
【００１１】
この局面に従えば、編集用の電子メールが複数の領域ごとに編集指示を作成するための支援情報と、編集の対象となる領域の識別情報を入力するための領域と、編集の対象となる領域に対するコマンドを入力するための領域と、を含むので、ユーザーは、編集指示を容易に入力することができる。
【００１２】
好ましくは、編集指示は、複数の領域のうち編集の対象となる編集対象領域の識別情報と、編集対象領域の配置を変更するコマンドまたは編集対象領域を削除するコマンドとの組を、含み、返信用の電子メールは、編集指示が記述された文字列を含む。
【００１３】
この局面によれば、編集指示は、オリジナルデータの画像を分割した複数の領域それぞれに対して文字列で記述されたコマンドを含むので、編集指示を容易に入力することができる。
【００１４】
好ましくは、編集指示は、添付した画像を新規に使用することを示す情報と、新規の画像を追加する位置を指定するための領域の識別情報または新規の画像と置き換える領域の識別情報と、追加または置換のためのコマンドとの組を、含み、返信用の電子メールは、編集指示が記述された文字列を含む。
【００１５】
この局面によれば、編集指示は、オリジナルデータの画像を分割した複数の領域のいずれかに対し、添付された画像を追加または置き換えるコマンドが文字列で記述されるので、新たな画像を追加または置き換える編集指示を容易に入力することができる。
【００１６】
好ましくは、送信された編集用の電子メールに対して返信される返信用の電子メールを受信することに応じて、受信された返信用の電子メールに含まれる構成変更指示を特定する構成変更指示特定手段を、さらに備え、分割手段は、特定された構成変更指示に基づいて、オリジナルデータを分割した複数の領域を変更する再分割手段を含む。
【００１７】
この局面によれば、返信用の電子メールに含まれる構成変更指示に基づいて、オリジナルデータを複数の領域に分割するので、オリジナルデータのうちで編集の対象とする部分を正確に特定することができる。
【００１８】
好ましくは、編集用の電子メールは、複数の領域ごとに構成変更指示を作成するための支援情報と、複数の領域のうち構成変更の対象となる領域の識別情報を入力するための領域と、構成変更の対象となる領域に対するコマンドを入力するための領域と、を含む。
【００１９】
この局面に従えば、編集用の電子メールが複数の領域ごとに構成変更指示を作成するための支援情報と、構成変更の対象となる領域の識別情報を入力するための領域と、構成変更の対象となる領域に対するコマンドを入力するための領域と、を含むので、ユーザーは、構成変更指示を容易に入力することができる。
【００２０】
好ましくは、構成変更指示は、複数の領域のうち構成変更の対象となる領域の識別情報と、構成変更の対象となる少なくとも１つの領域を分割または結合するためのコマンドとの組を、含み、返信用の電子メールは、構成変更指示が記述された文字列を含む。
【００２１】
この局面によれば、構成変更指示は、オリジナルデータの画像を分割した複数の領域それぞれに対して文字列で記述されたコマンドを含むので、構成変更指示を容易に入力することができる。
【００２２】
好ましくは、出力手段は、生成された編集後データを含む電子メールを返信する確認用データ送信手段と、確認用データ送信手段によって送信された電子メールに含まれる編集後データを承認する電子メールを受信することを条件に生成された編集後データを出力する確認手段と、を含む。
【００２３】
この局面によれば、編集後データを含む電子メールが返信されるので、ユーザーは、編集後データを確認することができる。また、編集後データを承認する電子メールが受信されることを条件に編集後データが出力されるので、ユーザーが承認した編集後データのみを出力することができる。
【００２４】
好ましくは、編集指示受付手段は、編集後データに対する編集指示をさらに受け付け、編集実行手段は、受け付けられた編集指示に基づいて、編集後データをさらに編集し、新たな編集後データを生成する。
【００２５】
この局面によれば、編集後データに対する編集をさらに実行できるので、ユーザーは、所望とする結果が得られるまでオリジナルデータの画像に対する編集を繰り返すことができる。
【００２６】
この発明の他の局面によれば、画像編集装置に実行させる画像編集方法は、オリジナルデータの画像を、複数の領域に分割するデータ分割ステップと、分割された複数の領域それぞれに、当該領域を識別するための識別情報を関連付ける領域特定ステップと、オリジナルデータの画像に、複数の領域それぞれに対して当該領域を囲む区分画像と当該領域の識別情報の画像を区分画像と関連付けて配置した編集用画像を生成する編集用画像生成ステップと、生成された編集用画像を添付した編集用の電子メールを送信する編集用画像送信ステップと、送信された編集用の電子メールに対して返信される返信用の電子メールを受信することに応じて、受信された返信用の電子メールに含まれる編集指示を特定する編集指示特定ステップと、特定された編集指示に基づいて、オリジナルデータを更新した編集後データを生成する編集実行ステップと、生成された編集後データを出力する出力ステップと、を含む。
【００２７】
この局面に従えば、電子メールを用いてオリジナルデータを編集することが可能な画像編集画像編集方法を提供することができる。
【００２８】
この発明の他の局面によれば、画像編集プログラムは、オリジナルデータの画像を、複数の領域に分割するデータ分割ステップと、分割された複数の領域それぞれに、当該領域を識別するための識別情報を関連付ける領域特定ステップと、オリジナルデータの画像に、複数の領域それぞれに対して当該領域を囲む区分画像と当該領域の識別情報の画像を区分画像と関連付けて配置した編集用画像を生成する編集用画像生成ステップと、生成された編集用画像を添付した編集用の電子メールを送信する編集用画像送信ステップと、送信された編集用の電子メールに対して返信される返信用の電子メールを受信することに応じて、受信された返信用の電子メールに含まれる編集指示を特定する編集指示特定ステップと、特定された編集指示に基づいて、オリジナルデータを更新した編集後データを生成する編集実行ステップと、生成された編集後データを出力する出力ステップと、をコンピュータに実行させる。
【００２９】
この局面に従えば、電子メールを用いてオリジナルデータを編集することが可能な画像編集プログラムを提供することができる。
【図面の簡単な説明】
【００３０】
【図１】本発明の実施の形態の１つにおけるプリントシステムの全体概要を示す図である。
【図２】ＭＦＰの外観を示す斜視図である。
【図３】ＭＦＰのハードウエア構成の一例を示すブロック図である。
【図４】携帯情報装置のハードウエア構成の一例を示すブロック図である。
【図５】ＭＦＰが備えるＣＰＵの機能の一例を示すブロック図である。
【図６】編集用画像の一例を示す第１の図である。
【図７】修正指示メールテンプレートの一例を示す図である。
【図８】編集用電子メールに対する返信メールの一例を示す第１の図である。
【図９】編集後データの画像の一例を示す第１の図である。
【図１０】編集用電子メールに対する返信メールの一例を示す第２の図である。
【図１１】編集後データの画像の一例を示す第２の図である。
【図１２】編集用電子メールに対する返信メールの一例を示す第３の図である。
【図１３】編集後データの画像の一例を示す第３の図である。
【図１４】編集用電子メールに対する返信メールの一例を示す第４の図である。
【図１５】編集後データの画像の一例を示す第４の図である。
【図１６】編集用電子メールに対する返信メールの一例を示す第５の図である。
【図１７】編集用画像の一例を示す第２の図である。
【図１８】編集用電子メールに対する返信メールの一例を示す第６の図である。
【図１９】編集用画像の一例を示す第３の図である。
【図２０】確認メールテンプレートの一例を示す図である。
【図２１】画像編集処理の流れの一例を示すフローチャートである。
【発明を実施するための形態】
【００３１】
以下、本発明の実施の形態について図面を参照して説明する。以下の説明では同一の部品には同一の符号を付してある。それらの名称および機能も同じである。したがってそれらについての詳細な説明は繰返さない。
【００３２】
図１は、本発明の実施の形態の１つにおけるプリントシステムの全体概要を示す図である。図１を参照して、プリントシステム１は、画像処理装置として機能する複合機（以下、「ＭＦＰ」という）１００と、パーソナルコンピューター（以下、「ＰＣ」という）３００と、無線局５と、携帯情報装置２００，２００Ａ，２００Ｂと、を含む。ＭＦＰ（Ｍｕｌｔｉ  Ｆｕｎｃｔｉｏｎ  Ｐｅｒｉｐｈｅｒａｌ）１００およびＰＣ３００は、ネットワーク３に接続される。携帯情報装置２００，２００Ａ，２００Ｂは、無線局５を通して、ネットワーク３に接続される。
【００３３】
ネットワーク３は、ローカルエリアネットワーク（ＬＡＮ）であり、接続形態は有線または無線を問わない。また、ネットワーク３は、ＬＡＮに限らず、ワイドエリアネットワーク（ＷＡＮ）、公衆交換電話網（ＰＳＴＮ）、インターネット等であってもよい。
【００３４】
ＰＣ３００は、一般的なコンピューターである。ＰＣ３００は、ＭＦＰ１００に対応するプリンタードライバープログラムがインストールされており、プリンタードライバープログラムを実行することにより、ＭＦＰ１００を制御して、ＭＦＰ１００に、画像形成処理、原稿読取処理等を実行させることが可能である。
【００３５】
携帯情報装置２００，２００Ａ，２００Ｂのハードウェア構成および機能は同じなので、ここでは特に言及しない限り携帯情報装置２００を例に説明する。
【００３６】
図２は、ＭＦＰの外観を示す斜視図である。図３は、ＭＦＰのハードウエア構成の一例を示すブロック図である。図２および図３を参照して、ＭＦＰ１００は、自動原稿搬送装置（ＡＤＦ）１２１と、原稿読取部１２３と、原稿読取部１２３が原稿を読み取って出力する画像データに基づいて用紙等に画像を形成する画像形成部１２５と、画像形成部１２５に用紙を供給する給紙部１２７と、画像が形成された用紙を処理する後処理部１２８と、ユーザーインターフェースとしての操作パネル１２９と、メイン回路１１０と、を含む。
【００３７】
ＡＤＦ１２１は、原稿給紙トレイ上にセットされた複数枚の原稿を１枚ずつ自動的に原稿読取部１２３のプラテンガラス上に設定された所定の原稿読み取り位置まで搬送し、原稿読取部１２３により原稿画像が読み取られた原稿を原稿排紙トレイ上に排出する。原稿読取部１２３は、原稿読取位置に搬送されてきた原稿に光を照射する光源と、原稿で反射した光を受光する光電変換素子とを含み、原稿のサイズに応じて原稿画像を走査する。光電変換素子は、受光した光を電気信号である画像データに変換して、画像形成部１２５に出力する。給紙部１２７は、給紙トレイに収納された用紙を画像形成部１２５に搬送する。
【００３８】
画像形成部１２５は、周知の電子写真方式により画像を形成するものであって、外部から受信された画像データ、または、原稿読取部１２３から入力される画像データにシェーディング補正などの各種のデータ処理を施し、データ処理後の画像データに基づいて、給紙部１２７により搬送される用紙に画像を形成する。
【００３９】
後処理部１２８は、画像が形成された用紙を排紙する。後処理部１２８は、複数の排紙トレイを有し、画像が形成された用紙をソートして排紙することが可能である。また、後処理部１２８は、パンチ穴加工部、ステープル加工部を備えており、排紙された用紙にパンチ穴加工、またはステープル加工することが可能である。また、ＭＦＰ１００は、その上面にユーザーとのユーザーインターフェースとしての操作パネル１２９を備えている。
【００４０】
メイン回路１１０は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ネットワークＩ／Ｆ１１８と、ＣＤ（Ｃｏｍｐａｃｔ  Ｄｉｓｋ）−ＲＯＭ１１９Ａが装着される外部記憶装置１１９と、を含む。ＣＰＵ１１１は、自動原稿搬送装置１２１、原稿読取部１２３、画像形成部１２５、給紙部１２７、後処理部１２８および操作パネル１２９と接続され、ＭＦＰ１００の全体を制御する。
【００４１】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１２３から連続的に送られてくる読取データ（画像データ）を一時的に記憶する。
【００４２】
操作パネル１２９は、ＭＦＰ１００の上面に設けられる。操作パネル１２９は、表示部１３１と操作部１３３とを含む。表示部１３１は、ＬＣＤ、有機ＥＬＤ（Ｅｌｅｃｔｒｏ−Ｌｕｍｉｎｅｓｃｅｎｃｅ  Ｄｉｓｐｌａｙ）等のディスプレイであり、ユーザーに対する指示メニューや取得した画像データに関する情報等を表示する。操作部１３３は、複数のキーを備え、キーに対応するユーザーの操作による各種の指示、文字、数字などのデータの入力を受け付ける。操作部１３３は、表示部１３１の表示面の位置を検出するタッチパネル１３５をさらに含む。タッチパネル１３５は、表示部１３１の上面または下面に設けられ、ユーザーにより指示された位置の座標をＣＰＵ１１１に出力する。
【００４３】
通信Ｉ／Ｆ部１１２は、ＭＦＰ１００を外部の装置と接続するためのインターフェースである。ネットワークＩ／Ｆ１１８は、ＭＦＰ１００をネットワーク３に接続するためのインターフェースである。ＣＰＵ１１１は、ネットワークＩ／Ｆ１１８を介してネットワーク３に接続されたＰＣ３００、携帯情報装置２００，２００Ａ，２００Ｂとの間で通信し、データを送受信する。また、ネットワークＩ／Ｆ１１８は、ネットワーク３を介してインターネットに接続されたコンピューターと通信が可能である。
【００４４】
ファクシミリ部１１７は、公衆交換電話網（ＰＳＴＮ）に接続され、ファクシミリデータを送受信する。ファクシミリ部１１７は、原稿読取部１２３により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１２５にファクシミリデータの画像を用紙に形成させる。
【００４５】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワーク３に接続された他のコンピューターが、ＭＦＰ１００のＨＤＤ１１６に記憶されたプログラムを書き換える、または、新たなプログラムを追加して書き込むようにしてもよい。さらに、ＭＦＰ１００が、ネットワークに接続された他のコンピューターからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４６】
図４は、携帯情報装置のハードウエア構成の概要を示す機能ブロック図である。図４を参照して、携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、画像を表示する表示部２０６と、ユーザーの操作の入力を受け付ける操作部２０７と、を含む。ＣＰＵ２０１、カメラ２０２、フラッシュメモリ２０３、無線通信部２０４、表示部２０６はバス２０８を通して接続されている。
【００４７】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、携帯情報装置２００を電子メールサーバに接続し、電子メールを送受信する。
【００４８】
カメラ２０２は、レンズおよびＣＭＯＳ(Ｃｏｍｐｌｅｍｅｎｔａｒｙ
Ｍｅｔａｌ Ｏｘｉｄｅ Ｓｅｍｉｃｏｎｄｕｃｔｏｒ）センサー等の光電変換素子を備え、レンズで集光した光をＣＭＯＳセンサーに結像し、ＣＭＯＳセンサーは受光した光を光電変換して画像データをＣＰＵ２０１に出力する。なお、ＣＭＯＳセンサーに代えて、ＣＣＤ（Ｃｈａｒｇｅ
Ｃｏｕｐｌｅｄ Ｄｅｖｉｃｅｓ）センサーを用いるようにしてもよい。
【００４９】
表示部２０６は、液晶表示装置（ＬＣＤ）、有機ＥＬＤ等の表示装置であり、ユーザーに対する指示メニューや取得した画像データに関する情報等を表示する。操作部２０７は、複数のキーと、タッチパネルとを備える。操作部２０７は、複数のキーに対応するユーザーの操作による各種の指示、文字、数字などのデータの入力を受け付ける。また、ユーザーが、表示部２０６の表示面を指示する場合、操作部２０７は、タッチパネルにより検出される表示面の位置をＣＰＵ２０１に出力する。ＣＰＵ２０１は、タッチパネルによる検出された位置に基づいて、表示部２０６に表示されている画面中でユーザーにより指示された位置を検出する。
【００５０】
図５は、ＭＦＰが備えるＣＰＵの機能の一例を示すブロック図である。図５に示す機能は、ＭＦＰ１００が備えるＣＰＵ１１１が、ＲＯＭ１１３、ＥＥＰＲＯＭ１１５、ＨＤＤ１１６、ＣＤ−ＲＯＭ１１９Ａに記憶された画像編集プログラムを実行することにより、ＣＰＵ１１１に形成される機能である。図５を参照して、ＣＰＵ１１１は、オリジナルデータ取得部１５１、データ分割部１５３、領域特定部１５５、編集用画像生成部１５７、編集用電子メール送信部１５９、構成変更指示特定部１６３、編集指示特定部１６５、編集実行部１６７、および出力部１７１を含む。
【００５１】
オリジナルデータ取得部１５１は、オリジナルデータを取得する。オリジナルデータは、ユーザーが編集の対象とするデータであり、ユーザーにより指定されることにより定まる。オリジナルデータは、ＨＤＤ１１６に記憶されたデータ、原稿読取部１２３が原稿を読み取って出力する画像データ、ネットワークＩ／Ｆ１１８がＰＣ３００から受信するデータ、外部記憶装置１１９に装着されたＣＤ−ＲＯＭ１１９Ａに記憶されたデータ、ファクシミリ部１１７により受信されたファクシミリデータを含む。ＰＣ３００から受信するデータは、画像形成部１２５が画像を形成する基になるプリントデータを含む。
【００５２】
オリジナルデータ取得部１５１は、携帯情報装置２００を操作するユーザーが、携帯情報装置２００を用いてＭＦＰ１００を遠隔操作する場合、ユーザーが携帯情報装置２００を介してオリジナルデータを指定すれば、ユーザーにより指定されたオリジナルデータを取得する。また、オリジナルデータ取得部１５１は、ユーザーが、ＭＦＰ１００の操作パネル１２９を操作する場合、ユーザーが操作パネル１２９を用いてオリジナルデータを指定すれば、ユーザーにより指定されたオリジナルデータを取得する。
【００５３】
ここで、オリジナルデータ取得部１５１は、プリントデータをオリジナルデータとして取得する場合について説明する。ＭＦＰ１００は、ＰＣ３００からプリントデータを受信し、プリントデータの画像を形成する場合に、プリントデータを含む履歴情報を記憶する。オリジナルデータ取得部１５１は、ユーザーが操作パネル１６１を用いてＭＦＰ１００を操作し、または、携帯情報装置２００を用いてＭＦＰ１００を遠隔操作し、履歴情報を指定すると、指定された履歴情報に含まれるプリントデータを取得する。
【００５４】
また、ＭＦＰ１００がプリントデータの画像を形成した後は、プリントデータの画像が形成された用紙が存在する。ユーザーが携帯情報装置２００のカメラ２０２で、その用紙に形成された画像を撮影し、撮影により得られた画像データをＭＦＰ１００に送信する場合、オリジナルデータ取得部１５１は、受信される画像データと同一または類似する画像のプリントデータをオリジナルデータとして取得する。この場合、オリジナルデータ取得部１５１は、履歴情報のうち画像形成された時刻が新しい履歴情報から順に選択して、選択された履歴情報に含まれるプリントデータの画像と受信された画像データの画像とを比較するようにすれば、オリジナルデータを早く特定することができる。
【００５５】
オリジナルデータ取得部１５１は、取得したオリジナルデータをデータ分割部１５３に入力する。以下の説明では、ユーザーが携帯情報装置２００を操作して、オリジナルデータを指定した場合を例に説明する。
【００５６】
データ分割部１５３は、オリジナルデータ取得部１５１から入力されたオリジナルデータの画像を複数の領域に分割する。データ分割部１５３は、分割した複数の領域をそれぞれ示す複数の領域情報を、領域特定部１５５および編集用画像生成部１５７に出力する。領域情報は、オリジナルデータの画像中の領域の位置を示す。このため、複数の領域情報は、１つのオリジナルデータに対応する。
【００５７】
データ分割部１５３は、オリジナルデータの画像を画像の属性に基づいて分割する。画像の属性は、文字が表された文字属性の領域と、図形が表された図形属性の領域と、写真が表された写真属性の領域とを含む。データ分割部１５３は、文字属性の領域については、文書のレイアウトに基づいてさらに分割する。文書のレイアウトは、タイトル、本文、キャプション、ヘッダ、フッタ、署名その部分の配置である。さらに、データ分割部１５３は、文字属性の領域の本文の部分については、段落ごとに細分化してもよい。行頭のスペースの有無で、段落の先頭を判断すればよい。
【００５８】
例えば、データ分割部１５３は、まず、オリジナルデータの画像の下地以外の部分を抽出する。下地の領域は、色が均一なので、色が均一な領域を下地の領域とし、それ以外の部分を矩形の領域として抽出する。この段階で、１以上の矩形の領域が抽出される。次に、抽出された１以上の矩形の領域それぞれについて、画像の属性ごとに矩形の領域に細分化する。さらに、文字属性の領域については、文書のレイアウトに基づいてさらに分割する。文字属性の領域を、レイアウトに基づいて分割するためには、例えば、次の文書中の位置を利用することができる。
（１）ヘッダ、フッタは、複数ページで同じ位置に配置される。ヘッダは上部に配置され、フッタは下部に配置される。また、ヘッダまたはフッタは、年月日、ページ数を含む場合があり、複数ページ間で数字の配置される位置は同じである。
（２）キャプションは、図形、写真の下方または上方に配置される。
（３）タイトルは、他の文字よりも文字のサイズが大きい。
（４）サイン、署名は、オリジナルデータのヘッダ部分に記述されている場合がある。
なお、文字属性の領域についてレイアウトに基づいて複数の部分に分割する技術は、周知の技術を用いることができる。
【００５９】
領域特定部１５５は、データ分割部１５３から複数の領域情報が入力され、複数の領域情報によりそれぞれ特定される複数の領域それぞれに、当該領域を識別するための領域識別情報を付与する。複数の領域情報はオリジナルデータに対応するので、複数の領域それぞれに付与される複数の領域識別情報もオリジナルデータに対応する。換言すれば、領域特定部１５５は、複数の領域ごとに領域情報と領域識別情報とを関連付ける。領域識別情報は、複数の領域の１つを特定できればよく、連番であってもよいし、文字を配列した名称であってもよいし、記号であってもよいし、画像であってもよい。ここでは、領域識別情報を、連番としている。領域特定部１５５は、領域情報と領域識別情報との組を編集用画像生成部１５７、編集実行部１６７およびデータ分割部１５３に出力する。
【００６０】
編集用画像生成部１５７は、データ分割部１５３から複数の領域情報が入力され、領域特定部１５５から領域情報と領域識別情報との組が入力される。編集用画像生成部１５７は、複数の領域情報に基づいて、オリジナルデータの画像に、複数の領域情報それぞれにより位置が特定される複数の領域それぞれに対して、当該領域を囲む区分画像を配置する。さらに、編集用画像生成部１５７は、領域情報と領域識別情報との組に基づいて、領域情報で特定される領域を囲む位置に配置された区分画像と関連付けて領域識別情報の画像を配置する。例えば、領域識別情報の画像を、区分画像の近傍に配置する。
【００６１】
以下、編集用画像生成部１５７が、オリジナルデータの画像に、複数の領域情報それぞれにより位置が特定される複数の領域それぞれに対して、当該領域を囲む区分画像と、領域識別情報とを配置した画像を編集用画像という。編集用画像生成部１５７は、生成した編集用画像を編集用電子メール送信部１５９に出力する。編集用画像は、オリジナルデータの画像に、複数の区分画像と複数の領域識別情報を合成した画像なので、オリジナルデータに対応する。
【００６２】
編集用電子メール送信部１５９は、編集用画像生成部１５７から編集用画像が入力される。編集用電子メール送信部１５９は、オリジナルデータを指定したユーザーの電子メールアドレスを宛先に設定した編集用電子メールを生成し、送信する。編集用電子メールは、編集用画像生成部１５７から入力された編集用画像と、修正指示メールテンプレートとを含む。編集用画像は、編集用電子メールの添付ファイルに設定される。修正指示メールテンプレートは、編集用電子メールの本文部分に設定される。修正指示メールテンプレートの詳細は、後述するが、修正指示を入力する方法を示す支援情報と、編集の対象となる領域の領域識別情報を入力するための領域と、編集の対象となる領域に対するコマンドを入力するための領域と、を含む。
【００６３】
また、編集用電子メール送信部１５９は、送信した編集用電子メールのヘッダー部と、オリジナルデータのファイル名との組を、構成変更指示特定部１６３と、編集指示特定部１６５とに出力する。編集用電子メールに対応する返信メールを受信した場合に、その返信メールに対応する編集用電子メールおよびオリジナルデータを特定するためである。  ここでは、オリジナルデータを指定したユーザーが、携帯情報装置２００を操作して、編集用電子メールを受信する場合を例に説明する。
【００６４】
携帯情報装置２００が編集用電子メールを受信すると、携帯情報装置２００のユーザーは、受信された編集用電子メールに含まれる修正指示メールテンプレートおよび編集用画像を閲覧可能になる。ユーザーは、編集用画像中の区分画像と領域識別情報の画像と修正指示メールテンプレートとを参照して、編集用電子メールに対応する返信メールを生成し、送信することによって、修正指示をＭＦＰ１００に入力することができる。
【００６５】
修正指示は、コマンドとパラメートとを含む。コマンドは、編集指示コマンドと構成変更指示コマンドとを含む。編集指示コマンドは、オリジナルデータを変更する処理を特定し、削除、移動、追加および置換を含む。構成変更指示コマンドは、オリジナルデータを分割する複数の領域を変更する処理を特定し、分解および結合を含む。パラメータは、コマンドで特定される処理を実行する対象を示す。
【００６６】
具体的には、編集指示コマンド「削除」は、オリジナルデータから対象部分を削除する処理を示す。パラメータは対象部分を特定する領域識別情報が設定される。編集指示コマンド「移動」は、オリジナルデータの対象部分のオリジナルデータ中の位置を変更する処理を示す。パラメータは、対象部分を特定する領域識別情報と変更後の位置を特定するための情報とを含む。ここでは、変更後の位置を特定するための情報を、領域識別情報と、その領域識別情報で特定される領域との相対的な位置関係とを含む。編集指示コマンド「追加」は、オリジナルデータに別のデータを追加する処理を示す。パラメータは、追加するデータを特定する情報と、オリジナルデータ中で追加する位置を特定するための情報とを含む。ここでは、オリジナルデータ中で追加する位置を特定するための情報を、領域識別情報と、その領域識別情報で特定される領域との相対的な位置関係とを含む。編集指示コマンド「置換」は、オリジナルデータの対象部分を別のデータで置き換える処理を示す。パラメータは、新たなデータを特定する情報と、オリジナルデータ中で置き換えの対象となる領域を特定するための領域識別情報とを含む。
【００６７】
構成変更指示コマンド「分解」は、オリジナルデータの対象部分を複数の複数の対象部分に分解する処理を示す。パラメータは、領域識別情報を含む。構成変更指示コマンド「結合」は、オリジナルデータの複数の対象部分を１つの対象部分に結合する処理を示す。パラメータは、領域識別情報を含む。
【００６８】
修正指示メールテンプレートは、修正指示を入力する方法を示す支援情報と、編集の対象となる領域の識別情報を入力するための領域と、編集の対象となる領域に対するコマンドを入力するための領域と、を含む。このため、編集用電子メールに対する返信メールにおいて、修正指示メールテンプレートを編集することにより修正指示を容易に入力することができる。具体的には、修正指示メールテンプレートのコマンドを入力するための領域に、編集指示コマンドまたは構成変更指示コマンドを入力し、編集の対象となる領域の識別情報を入力するための領域にパラメータを入力すればよい。支援情報は、修正指示を入力する方法を示すので、修正指示としてのコマンドおよびパラメータを容易に入力することができる。
【００６９】
編集指示特定部１６５および構成変更指示特定部１６３は、ネットワークＩ／Ｆ１１８を通して、編集用電子メールの宛先のユーザーが操作する携帯情報装置２００からユーザーにより修正指示が記述された返信メールを受信する。
【００７０】
編集指示特定部１６５は、受信した返信メールのヘッダー部を取り出し、編集用電子メール送信部１５９から入力される編集用電子メールのヘッダー部と、返信メールから取り出したヘッダー部とに基づいて、返信メールに対応する編集用電子メールを特定する。そして、特定された編集用電子メールのヘッダー部と組になるファイル名のオリジナルデータを特定する。編集指示特定部１６５は、
編集指示特定部１６５は、受信した返信メールの修正指示メールテンプレートを解析して、編集指示コマンドとパラメータとを抽出する。具体的には、編集指示特定部１６５は、修正指示メールテンプレートの中でコマンドを入力するための領域に記載されたコマンドを特定し、特定したコマンドが編集指示コマンドならば、その編集指示コマンドと、編集の対象となる領域の識別情報を入力するための領域に記述されたパラメータと、オリジナルデータのファイル名とを、編集実行部１６７に出力する。
【００７１】
編集実行部１６７は、編集指示特定部１６５からオリジナルデータのファイル名と、編集指示コマンドと、パラメータとが入力される。編集実行部１６７は、入力された編集指示コマンドとパラメータに基づいて、入力されたファイル名で特定されるオリジナルデータを編集することによって編集後データを生成する。編集後データとは、オリジナルデータを部分的に変更したデータである。編集実行部１６７は、生成した編集後データを確認用データ送信部１７３に出力する。
【００７２】
具体的には、編集指示コマンドが「削除」の場合、パラメータは、削除の対象となる領域の領域識別情報が設定される。編集実行部１６７は、オリジナルデータ中でパラメータである領域識別情報で特定される領域をオリジナルデータから削除する。編集指示コマンドが「移動」の場合、パラメータは、移動の対象となる領域の領域識別情報と、移動先の領域の領域識別情報と、移動先の領域に対する相対位置を示す情報とを含む。編集実行部１６７は、オリジナルデータ中で移動の対象となる領域の領域識別情報で特定される領域を、オリジナルデータ中で移動先の領域の領域識別情報で特定される領域に対して相対位置を示す情報で特定される位置に移動する。編集指示コマンドが「追加」の場合、パラメータは、新たなデータを特定するためのデータ識別情報と、追加する位置を特定するために、領域の領域識別情報と、その領域に対する相対位置を示す情報とを含む。編集実行部１６７は、データ識別情報で特定されるデータを、オリジナルデータ中で領域識別情報で特定される領域に対して相対位置を示す情報で特定される位置に追加する。編集指示コマンドが「置換」の場合、パラメータは、新たなデータを特定するためのデータ識別情報と、置き換えの対象となる領域の領域識別情報とを含む。編集実行部１６７は、データ識別情報で特定されるデータを、オリジナルデータ中で領域識別情報で特定される領域と置き換える。
【００７３】
確認用データ送信部１７３は、編集実行部１６７から編集後データが入力される。確認用データ送信部１７３は、オリジナルデータを指定したユーザーの電子メールアドレスを宛先とし、入力された編集後データを含む確認用電子メールを生成し、送信する。確認用電子メールは、編集実行部１６７から入力された編集後データと、確認メールテンプレートとを含む。編集後データは、確認用データとして確認用電子メールの添付ファイルに設定される。確認メールテンプレートは、確認用電子メールの本文部分に設定される。確認メールテンプレートは、応答内容を入力するための領域と、出力方法を入力するための領域と、を含む。確認メールテンプレートは、応答内容を入力するための領域に対して確認方法を説明する記述を含み、出力方法を入力するための領域に対して出力方法を説明する記述を含む。
【００７４】
携帯情報装置２００が確認用電子メールを受信すると、携帯情報装置２００のユーザーは、受信された確認用電子メールに含まれる確認メールテンプレートおよび確認用データの画像を閲覧可能になる。ユーザーは、確認用データの画像を参照して、確認用電子メールに対応する返信メールを生成し、送信することによって、確認結果をＭＦＰ１００に入力することができる。
【００７５】
確認結果は、確認用データを承認するか否かと、承認する場合には出力方法の指定を含む。具体的には、確認メールテンプレートは、確認結果を入力する方法を示す支援情報と、確認結果を入力するための領域と、出力方法を指定する方法を示す支援情報と、出力方法を入力するための領域と、を含む。このため、確認用電子メールに対する返信メールにおいて、確認メールテンプレートを編集することにより確認結果を容易に入力することができる。具体的には、確認メールテンプレートの確認結果を入力するための領域に、確認用データを承認するか否かを入力し、承認する場合には出力方法を入力するための領域に出力方法を入力すればよい。確認結果を入力する方法を示す支援情報および出力方法を指定する方法を示す支援情報によって、ユーザーは、確認結果と、出力方法を容易に入力することができる。
【００７６】
確認指示特定部１７５は、ネットワークＩ／Ｆ１１８を制御して、確認用電子メールの宛先のユーザーが操作する携帯情報装置２００から返信メールを受信する。確認指示特定部１７５は、受信した返信メールの確認メールテンプレートの確認結果を入力するための領域に確認用データを承認することが記述されている場合、画像形成制御部１７７、または、データ送信制御部１７９に出力指示を出力する。
【００７７】
確認指示特定部１７５は、受信した返信メールの確認メールテンプレートの確認結果を入力するための領域に確認用データを承認しないことが記述されている場合、オリジナルデータ取得部１５１に、編集後データを出力する。オリジナルデータ取得部１５１は、確認指示特定部１７５から編集後データが入力されると、編集後データを新たなオリジナルデータとして取得する。  確認指示特定部１７５は、受信された返信メールの確認メールテンプレートの出力方法を入力するための領域に画像形成を指示するコマンドが設定されている場合、画像形成制御部１７７に編集後データの画像を形成する指示を出力する。画像形成制御部１７７は、画像形成部１２４を制御して、編集後データの画像を形成する。また、確認指示特定部１７５は、受信された返信メールの確認メールテンプレートの出力方法を入力するための領域９７にデータ送信するコマンドが設定されている場合、データ送信制御部１７９に編集後データの送信指示を出力する。データ送信制御部１７９は、ネットワークＩ／Ｆ１１８を制御して編集後ルデータを、送信先として予め指定されている送信先に送信する。送信先として予め指定されている送信先は、例えば、会議の参加者であってもよい。また、返信メールにデータ送信するコマンドとともに送信先の情報を含めるようにしてもよい。
【００７８】
編集指示特定部１６５は、受信した返信メールのヘッダー部を取り出し、編集用電子メール送信部１５９から入力される編集用電子メールのヘッダー部と、返信メールから取り出したヘッダー部とに基づいて、返信メールに対応する編集用電子メールを特定する。そして、特定された編集用電子メールのヘッダー部と組になるファイル名のオリジナルデータを特定する。編集指示特定部１６５は、
編集指示特定部１６５は、受信した返信メールの修正指示メールテンプレートを解析して、編集指示コマンドとパラメータとを抽出する。具体的には、編集指示特定部１６５は、修正指示メールテンプレートの中でコマンドを入力するための領域に記載されたコマンドを特定し、特定したコマンドが編集指示コマンドならば、その編集指示コマンドと、編集の対象となる領域の識別情報を入力するための領域に記述されたパラメータと、オリジナルデータのファイル名とを、編集実行部１６７に出力する。
【００７９】
編集実行部１６７は、編集指示特定部１６５からオリジナルデータのファイル名と、編集指示コマンドと、パラメータとが入力される。編集実行部１６７は、入力された編集指示コマンドとパラメータに基づいて、入力されたオリジナルデータを編集することによって編集後データを生成する。編集後データとは、オリジナルデータを部分的に変更したデータである。編集実行部１６７は、生成した編集後データを確認用データ送信部１７３に出力する。具体的には、構成変更指示特定部１６３は、受信した返信メールのヘッダー部を取り出し、編集用電子メール送信部１５９から入力される編集用電子メールのヘッダー部と、返信メールから取り出したヘッダー部とに基づいて、返信メールに対応する編集用電子メールを特定する。そして、特定された編集用電子メールのヘッダー部と組になるファイル名のオリジナルデータを特定する。
【００８０】
構成変更指示特定部１６３は、受信した返信メールの修正指示メールテンプレートを解析して、構成変更指示コマンドとパラメータとを抽出する。具体的には、構成変更指示特定部１６３は、修正指示メールテンプレートの中でコマンドを入力するための領域に記載されたコマンドを特定し、特定したコマンドが構成変更指示コマンドならば、その構成変更指示コマンドと編集の対象となる領域の識別するための領域に記述されたパラメータと、オリジナルデータのファイル名とを、再分割部１６１に出力する。
【００８１】
再分割部１６１は、編集指示特定部１６５からオリジナルデータのファイル名と、構成変更指示コマンドと、パラメータとが入力され、領域特定部１５５から領域情報と領域識別情報との組が入力される。再分割部１６１は、構成変更指示コマンドにしたがって、編集指示特定部１６５から入力されるファイル名で特定されるオリジナルデータを再分割する。具体的には、オリジナルデータの領域情報で特定される複数の領域のうちパラメータで特定される領域を、構成変更指示コマンドに従って分解または結合することによって、領域情報で特定される複数の領域を再構成する。
【００８２】
より具体的には、再分割部１６１は、構成変更指示コマンドが「分解」である場合、領域特定部１５５から入力される領域情報と領域識別情報との組のうちから、パラメータによって特定される領域識別情報を含む組を抽出し、領域情報を取得する。再分割部１６１は、オリジナルデータ中の取得された領域情報で示される領域を分割する。領域を分割の方法は、上述した周知の方法を用いればよい。そして、再分割部１６１は、領域特定部１５５から入力される領域情報と領域識別情報との組のうちパラメータによって特定される領域識別情報を含む組以外の組に含まれる領域情報と、パラメータによって特定される領域識別情報を含む組に含まれる領域情報で示される領域を分割した複数の領域をそれぞれ示す領域情報とを、領域特定部１５５および編集用画像生成部１５７に出力する。
【００８３】
また、再分割部１６１は、構成変更指示コマンドが「結合」である場合、領域特定部１５５から入力される領域情報と領域識別情報との組のうちから、パラメータによって特定される複数の領域識別情報を含む組を抽出し、複数の領域情報を取得する。そして、再分割部１６１は、オリジナルデータ中の取得した複数の領域情報でそれぞれ示される複数の領域を結合して１つの領域にする。再分割部１６１は、領域特定部１５５から入力される領域情報と領域識別情報との組のうちパラメータによって特定される複数の領域識別情報をそれぞれ含む複数の組以外の組に含まれる領域情報と、パラメータによって特定される複数の領域識別情報をそれぞれ含む複数の組に含まれる複数の領域情報で示される複数の領域を結合した１つの領域を示す領域情報とを、領域特定部１５５および編集用画像生成部１５７に出力する。
【００８４】
領域特定部１５５および編集用画像生成部１５７は、再分割部１６１から入力される新たな複数の領域情報に基づいて、領域識別情報の付与および変種用画像を生成する。
【００８５】
図６は、編集用画像の一例を示す第１の図である。図６を参照して、編集用画像５０は、５つの段落からなる文書を含むオリジナルデータから生成される場合を示している。編集用画像５０は、オリジナルデータに含まれる５つの段落それぞれの５つの領域５１、５３、５５、５７、５９にそれぞれ対応して、区分画像５１Ａ、５３Ａ、５５Ａ、５７Ａ、５９Ａと、領域識別情報の画像５１Ｂ、５３Ｂ、５５Ｂ、５７Ｂ、５９Ｂと、を含む。区分画像５１Ａ、５３Ａ、５５Ａ、５７Ａ、５９Ａそれぞれは、対応する領域５１、５３、５５、５７、５９を囲む矩形の画像である。領域識別情報の画像５１Ｂ、５３Ｂ、５５Ｂ、５７Ｂ、５９Ｂそれぞれは、対応する区分画像５１Ａ、５３Ａ、５５Ａ、５７Ａ、５９Ａの内側に配置され、関連付けられている。
【００８６】
図７は、修正指示メールテンプレートの一例を示す図である。図７を参照して、修正指示メールテンプレート７０は、「１．コマンド指定」のタイトルに続いて、支援情報７１と、編集の対象となる領域に対するコマンドを入力するための領域７３と、を含む。支援情報７１は、「修正指示として、削除、移動、追加、置換、分解、結合のいずれかを指定すてください。」のメッセージを含み、コマンドとして、「削除」、「移動」、「追加」、「置換」、「分解」、「結合」のいずれかを指定可能であることが、ユーザーに分かるようになっている。
【００８７】
コマンドを入力する領域７３は、その左側に「指定コマンド：」のメッセージが配置され、コマンドを入力する領域７３がユーザーに分かるようになっている。
【００８８】
さらに、修正指示メールテンプレート７０は、「２．修正対象番号」のタイトルに続いて、支援情報７５と、パラメータを入力する領域７７と、を含む。領域７７は、編集の対象となる領域の領域識別情報が設定される。支援情報７５は、「削除、移動、追加、置換、分解の場合、本メールの添付画像上の番号を指定してください。」のメッセージと、を含み、領域７３に入力されたコマンドに対して、パラメータとして設定が必要な領域の領域識別情報であることがユーザーに分かるようになっている。具体的には、「追加、置換の場合で、返信メールに添付するファイルを指定する場合、”添付”と記載してください。」のメッセージ、「結合の場合、必ず複数の番号を指定してください。」のメッセージ、「置換の場合、１つの番号でも、複数の番号でも指定できます。」のメッセージを含む。
【００８９】
領域の領域識別情報を入力するための領域７７は、その左側に「修正対象番号：」のメッセージが配置され、領域の識別情報を入力するための領域７７がユーザーに分かるようになっている。
【００９０】
また、「３．移動・追加先番号」のタイトルに続いて、支援情報７９と、パラメータを入力する領域８１，８３とを含む。支援情報７９は、「移動、追加、置換の場合、本メールに添付した画像上の移動先、追加先・置換先の番号を指定してください。」のメッセージと、「指定番号のどちら側かを上、下、左、右で指定してください。」のメッセージとを含み、領域７３に入力されたコマンドに対して、パラメータとして設定が必要な情報がユーザーに分かるようになっている。
【００９１】
領域８１は、その左側に「移動・追加・置換先番号：」のメッセージが配置され、移動または追加・置換先の領域の領域識別情報を入力するための領域８１がユーザーに分かるようになっている。さらに、領域８３は、その左側に「どちら側：」のメッセージが配置され、領域８３には、「上」、「下」、「左」、「右」のいずれかが設定可能である。領域８３は、領域７７に設定された領域識別情報で特定される領域、または返信メールに添付されたデータを配置するオリジナルデータ中の位置が、領域８１に設定された領域識別情報の領域との相対的な位置で設定できることがユーザーに分かるようになっている。
【００９２】
以下、図６に示した編集用画像５０を含む編集用電子メールに対する返信メールと、その返信メールに従って生成される編集後データについて説明する。また、編集用電子メールに対する返信メールは、図７に示した修正指示メールテンプレート７０を含み、コマンドと、パラメータとが追加された状態で示す。  図８は、編集用電子メールに対する返信メールの一例を示す第１の図である。図８を参照して、編集用電子メールに対する返信メールに含まれる修正指示メールテンプレート７０Ａは、コマンドを入力する領域７３に、「削除」が設定されており、パラメータを入力する領域７７に、パラメータとして領域識別情報「５」が設定されている。このため、返信メールは、オリジナルデータに含まれる５つの領域のうち編集用画像５０の領域識別情報「５」で特定される領域５９に対応する部分をオリジナルデータから削除する修正を指示することを示す。
【００９３】
図９は、編集後データの画像の一例を示す第１の図である。図９に示す編集後データは、図８に示した返信メールが受信されて、オリジナルデータが編集された編集後データの画像を示す。図９を参照して、図６に示した編集用画像５０と異なる点は、領域５９が削除された点である。なお、図中の点線は、領域５１、５３、５５、５７を示すために便宜的に付したもので、実際には存在しない。
【００９４】
図１０は、編集用電子メールに対する返信メールの一例を示す第２の図である。図１０を参照して、編集用電子メールに対する返信メールに含まれる修正指示メールテンプレート７０Ｂは、コマンドを入力する領域７３に「移動」が設定されており、パラメータを入力する領域７７にパラメータとして領域識別情報「５」が設定される。さらに、パラメータを入力する領域８１、８３に、領域識別情報「４」と相対位置「上」がそれぞれ設定されている。このため、返信メールは、オリジナルデータに含まれる５つの領域のうち編集用画像５０の領域識別情報「５」で特定される領域５９に対応する部分を、編集用画像５０の領域識別情報「４」で特定される領域５７の上側に移動する修正を指示することを示す。
【００９５】
図１１は、編集後データの画像の一例を示す第２の図である。図１１に示す編集後データは、図１０に示した返信メールが受信されて、オリジナルデータが編集された編集後データの画像を示す。図１１を参照して、図６に示した編集用画像５０と異なる点は、領域５７と領域５９の配列順が逆になった点である。なお、図中の点線は、領域５１、５３、５５、５７、５９を示すために便宜的に付したもので、実際には存在しない。
。
【００９６】
図１２は、編集用電子メールに対する返信メールの一例を示す第３の図である。図１２を参照して、編集用電子メールに対する返信メールに含まれる修正指示メールテンプレート７０Ｃは、コマンドを入力する領域７３に「追加」が設定され、パラメータを入力する領域７７に「添付」が設定され、パラメータを設定する領域８１、８３に、領域識別情報「４」と相対位置「右」がそれぞれ設定されている。このため、返信メールは、返信メールに添付されたデータを、オリジナルデータに含まれる５つの領域のうち編集用画像５０の領域識別情報「４」で特定される領域５７の右側に配置する修正を指示することを示す。
【００９７】
図１３は、編集後データの画像の一例を示す第３の図である。図１３に示す編集後データは、図１２に示した返信メールが受信されて、オリジナルデータが編集された編集後データの画像を示す。図１３を参照して、図６に示した編集用画像５０と異なる点は、領域５７の形状が変更された点、領域５７の右側に返信メールに添付されたデータの画像５８が配置された点、領域５９が次のページに配置される点、である。領域５７の形状は、横方向に短くなり縦方向に長くなる。なお、図中の点線は、領域５１、５３、５５、５７、５９を示すために便宜的に付したもので、実際には存在しない。
【００９８】
図１４は、編集用電子メールに対する返信メールの一例を示す第４の図である。図１４を参照して、編集用電子メールに対する返信メールに含まれる修正指示メールテンプレート７０Ｄは、コマンドを入力する領域７３に「置換」が設定され、パラメータを入力する領域７７に「添付」が設定され、パラメータを設定する領域８１に、領域識別情報「４」および「５」が設定される。このため、返信メールは、オリジナルデータに含まれる５つの領域のうち編集用画像５０の領域識別情報「４」および「５」でそれぞれ特定される領域５７および領域５９に対応する部分を返信メールに添付されたデータで、置き換える修正を指示することを示す。
【００９９】
図１５は、編集後データの画像の一例を示す第４の図である。図１５に示す編集後データは、図１４に示した返信メールが受信されて、オリジナルデータが編集された編集後データの画像を示す。図１５を参照して、図６に示した編集用画像５０と異なる点は、領域５７および領域５９が削除された点、領域５５の下方に返信メールに添付されたデータの画像５８が配置された点である。なお、図中の点線は、領域５１、５３、５５を示すために便宜的に付したもので、実際には存在しない。
【０１００】
図１６は、編集用電子メールに対する返信メールの一例を示す第５の図である。図１６を参照して、編集用電子メールに対する返信メールに含まれる修正指示メールテンプレート７０Ｅは、コマンドを入力する領域７３に構成変更指示コマンド「分解」が設定され、パラメータを入力する領域７７に領域識別情報「３」が設定される。このため、返信メールは、オリジナルデータに含まれる５つの領域のうち編集用画像５０の領域識別情報「３」で特定される領域５５に対応する部分を複数に分割することを示す。
【０１０１】
図１７は、編集用画像の一例を示す第２の図である。図１７に示す編集用画像５０Ａは、図１６に示した返信メールが受信されて、再構成した後の編集用画像を示す。図１７を参照して、編集用画像５０Ａが図６に示した編集用画像５０と異なる点は、領域５５が３つの領域５５−１、５５−２，５５−３の３つに分割された点である。これに伴い、編集用画像５０に存在した区分画像５５に代えて、３つの領域５５−１、５５−２，５５−３それぞれを囲う区分画像５５−１Ａ、５５−２Ａ，５５−３Ａと、領域識別情報の画像５５−１Ｂ、５５−２Ｂ、５５−３Ｂと、を含む。また、領域識別情報の画像５１Ｂは「１」、領域識別情報の画像５３Ｂは「２」で変わりがないが、領域識別情報の画像５５−１Ｂは「３」、領域識別情報の画像５５−２Ｂは「４」、領域識別情報の画像５５−３Ｂは「５」、領域識別情報の画像５７Ｂは「６」、領域識別情報の画像５９Ｂは「７」である。
【０１０２】
図１８は、編集用電子メールに対する返信メールの一例を示す第６の図である。図１８を参照して、編集用電子メールに対する返信メールに含まれる修正指示メールテンプレート７０Ｆは、コマンドを入力する領域７３に、構成変更指示コマンド「結合」が設定され、パラメータを入力する領域７７に領域識別情報「３」、「４」および「５」が設定される。このため、返信メールは、オリジナルデータに含まれる５つの領域のうち編集用画像５０の領域識別情報「３」、「４」、「５」で特定される３つの領域５５、５７、５９に対応する部分を１つに結合することを示す。
【０１０３】
図１９は、編集用画像の一例を示す第３の図である。図１９に示す編集用画像５０Ｂは、図１８に示した返信メールが受信されて、再構成した後の編集用画像を示す。図１９を参照して、編集用画像５０Ｂが図６に示した編集用画像５０と異なる点は、３つの領域５５，５７，５９が１つの領域５５に結合された点である。これに伴い、編集用画像５０Ｂは、領域５４を囲う区分画像５４Ａと、領域識別情報の画像５４Ｂと、を含む。また、領域識別情報の画像５１Ｂは「１」、領域識別情報の画像５３Ｂは「２」で変わりがないが、領域識別情報の画像５４Ｂは「３」である。
図２０は、確認メールテンプレートの一例を示す図である。図２０を参照して、確認メールテンプレート９０は、「１．追加修正の可否」のタイトルに続いて、確認結果の入力方法が記述された支援情報９１と、確認結果を入力するための領域９３と、を含む。
【０１０４】
支援情報９１は、「追加修正しないときは、ＯＫ、追加修正するときは、ＮＧを指定してください。」のメッセージを含む。領域９３は、その左側に「応答内容：」のメッセージが配置され、確認結果を入力するための領域９３がユーザーに分かるようになっている。
【０１０５】
さらに、「２．出力方法」のタイトルに続いて、出力方法を入力する方法を示す支援情報９５と、出力方法のコマンドを入力するための領域９７とを含む。支援情報９５は、「追加修正しない場合のみ、指定してください。」および「修正結果をプリントするときは画像形成、携帯に送信するときはデータ送信を指定してください。」のメッセージを含む。領域９７は、その左側に「出力方法：」のメッセージが配置され、出力方法に対応するコマンドを入力するための領域９７と、設定可能なコマンドがユーザーに分かるようになっている。
【０１０６】
図２１は、画像編集処理の流れの一例を示すフローチャートである。図２１に示す画像編集処理は、ＭＦＰ１００が備えるＣＰＵ１１１が、ＲＯＭ１１３、ＥＥＰＲＯＭ１１５、ＨＤＤ１１６、ＣＤ−ＲＯＭ１１９Ａに記憶された画像編集プログラムを実行することにより、ＣＰＵ１１１により実行される処理である。図２０を参照して、ＣＰＵ１１１は、オリジナルデータを取得する。ユーザーによって指定されたデータをオリジナルデータとして取得する。オリジナルデータは、ＨＤＤ１１６に記憶されたデータ、原稿読取部１２３が読み取った画像データ、ネットワークＩ／Ｆ１１８が外部のコンピューターから受信したデータを含む。
【０１０７】
ステップＳ０２においては、取得されたオリジナルデータを複数の領域に分割する。画像の属性ごとに分割する。また、文字属性の領域については、文書のレイアウト構成に基づいて分割する。さらに、段落ごとに分割する。この段階で、オリジナルデータを分割した複数の領域ごとに、その領域のオリジナルデータ中の位置を示す領域情報を生成する。
【０１０８】
そして、ステップＳ０３においては、複数の領域それぞれに対応する領域識別情報を生成する。領域識別情報は、複数の領域を識別可能な情報であればよい。ここでは、連番としている。
【０１０９】
ステップＳ０４においては、編集用画像を生成する。編集用画像は、オリジナルデータの画像に、複数の領域ごとに、その領域を囲む区分画像と、その領域に対応する領域識別情報の画像とを合成した画像である。１つの領域に、１つの区分画像と領域識別情報の画像を合成する。区分画像は、対応する領域を囲む形状の画像である。領域識別情報の画像は、区分画像に関連付けて配置される。ここでは、区分画像の内部に配置する。なお、区分画像の外部であっても、関連付けて配置されていれば、例えば区分画像と重なって配置してもよいし、区分画像の外部であっても区分画像に隣接して配置してもよい。また、区分画像と領域識別情報の画像とを、同じ色の画像とする場合には、離れた位置に配置してもよい。
次のステップＳ０５では、生成された編集用画像を含む編集用電子メールを送信する。具体的には、編集用画像を添付データとし、修正指示メールテンプレートを本文部分に含み、ステップＳ０１においてオリジナルデータを指定したユーザーに割り当てられた電子メールアドレスを宛先アドレスに設定した電子メールを編集用電子メールとして生成し、電子メールサーバーに送信する。
【０１１０】
次のステップＳ０６では、修正指示を受信したか否かを判断する。編集用電子メールに対応する返信メールを電子メールサーバーから受信したならば修正指示を受信したと判断する。返信メールを受信するまで待機状態となり（ステップＳ０６でＮＯ）、返信メールを受信したならば（ステップＳ０６でＹＥＳ）、処理をステップＳ０７に進める。
【０１１１】
次のステップＳ０７においては、受信された修正指示が編集指示か否かを判断する。ステップＳ０６において受信された返信メールに含まれる修正指示メールテンプレートのコマンドを入力する領域に設定されているコマンドに基づいて判断する。コマンドを入力する領域に設定されているコマンドが編集指示コマンドならば編集指示と判断し、処理をステップＳ１０に進めるが、構成変更指示コマンドならば処理をステップＳ０８に進める。ここでは、編集コマンドを「削除」、「移動」、「追加」、「置換」とし、構成変更指示コマンドを「分解」および「結合」としている。
ステップＳ０８においては、オリジナルデータを再分割する。ステップＳ０６において受信された構成変更指示コマンドにしたがって、オリジナルデータを再分割する。具体的には、オリジナルデータの領域情報で特定される複数の領域のうち、返信メールに含まれる修正指示メールテンプレートに設定されたパラメータで特定される領域を、構成変更指示コマンドに従って分解または結合することによって、領域情報で特定される複数の領域を再構成する。次のステップＳ０９においては、ステップＳ０８においてオリジナルデータを再分割して得られる複数の領域それぞれに対応する領域識別情報を生成し、処理をステップＳ０４に戻す。
【０１１２】
一方、処理がステップＳ１０に進む場合、修正指示が編集指示の場合である。具体的には、ステップＳ０６において受信された返信メールに含まれる修正指示メールテンプレートのコマンドを入力する領域に、「削除」、「移動」、「追加」、「置換」のいずれかの編集指示コマンドが設定されている場合である。ステップＳ１０においては、編集指示コマンドとパラメータに基づいて、ステップＳ０１において取得されたオリジナルデータを編集することによって編集後データを生成する。パラメータは、ステップＳ０６において受信された返信メールに含まれる修正指示メールテンプレートのパラメータを入力する領域に設定されている。
【０１１３】
具体的には、編集指示コマンドが「削除」の場合、パラメータは、削除の対象となる領域の領域識別情報が設定される。このため、オリジナルデータ中で領域識別情報で特定される領域をオリジナルデータから削除することによって編集後データを生成する。編集指示コマンドが「移動」の場合、パラメータは、移動元の領域を示す領域識別情報と、移動先を示す情報として移動先の領域の領域識別情報および移動先の領域に対する相対位置を示す情報とを含む。オリジナルデータ中で移動の対象となる領域の領域識別情報で特定される領域を、オリジナルデータ中で移動先の領域の領域識別情報で特定される領域に対して相対位置を示す情報で特定される位置に移動することによって編集後データを生成する。編集指示コマンドが「追加」の場合、パラメータは、新たなデータを特定するためのデータ識別情報と、追加する位置を特定するために、領域の領域識別情報と、その領域に対する相対位置を示す情報とを含む。このため、データ識別情報で特定されるデータを、オリジナルデータ中で領域識別情報で特定される領域に対して相対位置を示す情報で特定される位置に追加することによって編集後データを生成する。編集指示コマンドが「置換」の場合、パラメータは、新たなデータを特定するためのデータ識別情報と、置き換えの対象となる領域の領域識別情報とを含む。このため、データ識別情報で特定されるデータを、オリジナルデータ中で領域識別情報で特定される領域と置き換えることによって編集後データを生成する。
【０１１４】
次のステップＳ１２においては、ステップＳ１０において生成された編集後データを確認用データとして含む確認用電子メールを送信する。具体的には、確認用データを添付データとし、確認メールテンプレートを本文部分に含み、ステップＳ０１においてオリジナルデータを指定したユーザーに割り当てられた電子メールアドレスを宛先アドレスに設定した電子メールを確認用電子メールとして生成し、電子メールサーバーに送信する。
【０１１５】
ステップＳ１２においては、確認用電子メールに対応する返信メールを電子メールサーバーから受信したか否かを判断する。返信メールを受信するまで待機状態となり（ステップＳ１２でＮＯ）、返信メールを受信したならば（ステップＳ１２でＹＥＳ）、処理をステップＳ１３に進める。
【０１１６】
ステップＳ１３においては、返信メールにおいて編集後データがユーザーにより承認されたか否かを判断する。ステップＳ１２において受信された返信メールに含まれる確認メールテンプレートの確認結果を入力するための領域に、ＯＫが設定されていれば、承認されたと判断するが、ＮＧが設定されていれば、承認されていないと判断する。編集後データがユーザーにより承認されたならば処理をステップＳ１５に進めるが、そうでなければ処理をステップＳ１４に進める。ステップＳ１４においては、オリジナルデータを編集後データで更新し、処理をステップＳ０２に戻す。編集後データを新たなオリジナルデータとして、ステップＳ０２以降の処理を繰り返し実行する。
【０１１７】
ステップＳ１５においては、編集後データを出力する。具体的には、ステップＳ１２において受信された返信メールに含まれる確認メールテンプレートの出力方法を入力するための領域に設定されているコマンドに基づいて出力方法を決定する。より具体的には、受信された返信メールの確認メールテンプレートの出力方法を入力するための領域に画像形成を指示するコマンドが設定されている場合、編集後データの画像を形成する。具体的には、画像形成部１２４によって、編集後データの画像が形成される。また、ステップＳ１２において受信された返信メールの確認メールテンプレートの出力方法を入力するための領域９７にデータ送信するコマンドが設定されている場合、編集後データを予め定められた送信先に送信する。予め指定されている送信先は、例えば、会議の参加者であってもよい。また、返信メールにデータ送信するコマンドとともに送信先の情報が設定されている場合には、その送信情報で特定される送信先に送信する。
【０１１８】
以上説明したように、本実施の形態におけるＭＦＰ１００は画像編集装置として機能し、ユーザーによりオリジナルデータが指定されると、オリジナルデータの画像を複数の領域に分割し、複数の領域それぞれに対して当該領域を囲む区分画像を合成するとともに、当該領域の識別情報の画像を区分画像と関連付けて配置した編集用画像を生成し、編集用画像を含む編集用電子メールを送信する。編集用の電子メールに含まれる編集用画像は、複数の領域それぞれに対して当該領域を囲む区分画像と当該領域の識別情報の画像を区分画像と関連付けるので、ユーザーは、編集用画像を見て、オリジナルデータの複数の部分をそれぞれ特定することができる。ユーザーは、編集用画像を含む編集用電子メールを受信する場合に、その電子メールに編集指示を入力して返信する簡単な操作をすればよい。
【０１１９】
ＭＦＰ１００は、編集用電子メールに対して返信される返信メールに含まれる編集指示を特定する場合、編集指示に基づいて、オリジナルデータを更新した編集後データを生成し、編集後データの画像を形成または編集後データを送信する。編集用の電子メールに対して返信される返信メールに含まれる編集指示に基づいて、オリジナルデータを更新するので、ユーザーは編集用電子メールを編集した返信メールを生成し、送信することにより、オリジナルデータを更新することができるので、オリジナルデータを簡単な操作で編集することができる。
【０１２０】
また、編集用電子メールは、修正指示メールテンプレートを本文に含み、その修正指示メールテンプレートは、複数の領域ごとに編集指示を作成するための支援情報と、編集の対象となる領域の識別情報を入力するための領域と、編集の対象となる領域に対するコマンドを入力するための領域と、を含むので、ユーザーは、返信メールに編集指示を容易に入力することができる。
【０１２１】
さらに、修正指示メールテンプレートは、編集の対象となる領域の識別情報を入力するための領域と、編集の対象となる領域に対するコマンドを入力するための領域を含むので、ユーザーは、編集指示を、オリジナルデータの画像を分割した複数の領域それぞれに対して文字列で記述することができ、編集指示を容易に入力することができる。
【０１２２】
さらに、編集指示は、オリジナルデータの画像を分割した複数の領域のいずれかに対し、返信メールに添付された画像を追加または置き換えるコマンドを文字列で記述することができるので、ユーザーは、オリジナルデータに新たな画像を追加する処理、またはオリジナルデータの一部を新たな画像で置き換える処理を実行させることができる。
【０１２３】
さらに、編集用電子メールに対する返信メールに含まれる修正指示メールテンプレートに構成変更コマンドを文字列で記入することができ、その場合には、構成変更コマンドに基づいて、オリジナルデータの画像を分割する複数の領域を変更することができる。このため、オリジナルデータのうちで編集の対象とする部分を変更することができ、オリジナルデータのうちで変更の対象とする部分を正確に特定することができる。
【０１２４】
さらに、編集用電子メールに含まれる修正指示メールテンプレートは、複数の領域ごとに構成変更指示を作成するための支援情報と、構成変更の対象となる領域の識別情報を入力するための領域と、構成変更の対象となる領域に対するコマンドを入力するための領域と、を含むので、ユーザーは、構成変更指示を容易に入力することができる。
【０１２５】
さらに、修正指示メールテンプレートは、編集の対象となる領域の識別情報を入力するための領域と、編集の対象となる領域に対する構成変更コマンドを入力するための領域を含むので、ユーザーは、構成変更コマンドを、オリジナルデータの画像を分割した複数の領域それぞれに対して文字列で記述することができ、構成変更指示を容易に入力することができる。
【０１２６】
さらに、編集後データを確認用データとして含む確認用電子メールを、オリジナルデータを指定したユーザーに返信するので、ユーザーは、編集後データを確認することができる。また、ユーザーから編集後データを承認することを示す返信メールが受信されることを条件に編集後データを出力するので、ユーザーが承認した編集後データのみを出力することができる。
【０１２７】
さらに、編集後データを新たなオリジナルデータとして、再度複数の領域に分割し、編集指示を受け付けるので、ユーザーは、所望とする結果が得られるまでオリジナルデータの画像に対する編集を繰り返すことができる。
【０１２８】
なお、上述した実施の形態においては、画像編集装置としてＭＦＰ１００を例に説明したが、図２０に示した画像編集処理をＭＦＰ１００に実行させる画像編集方法または、その画像編集方法をＭＦＰ１００を制御するＣＰＵ１１１に実行させる画像編集プログラムとして発明を捉えることができるのは言うまでもない。
【０１２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３０】
＜付記＞
（１）  画像を形成するための画像形成手段を、さらに備え、
前記出力手段は、前記編集後データの画像を前記画像形成手段に形成させる画像形成制御手段を含む、請求項１〜９のいずれかに記載の画像編集装置。
（２）  前記出力手段は、前記編集後データを他のコンピュータに送信する編集後データ送信手段を含む、請求項１〜９、（１）のいずれかに記載の画像編集装置。
（３）  原稿を読み取って画像データを出力する原稿読取手段を、さらに備え、
前記オリジナルデータは、前記原稿読取手段によって出力される画像データである、請求項１〜９、（１）、（２）のいずれかに記載の画像編集装置。
（４）  プリントデータを受信するプリントデータ受信手段を、さらに備え、
前記オリジナルデータは、前記受信されたプリントデータである、請求項１〜９、（１）〜（３）のいずれかに記載の画像編集装置。
【符号の説明】
【０１３１】
１  プリントシステム、３  ネットワーク、５  無線局、５０  オリジナルデータの画像、７０  修正指示メールテンプレート、１００  ＭＦＰ、２００，２００Ａ，２００Ｂ  携帯情報装置、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  ネットワークＩ／Ｆ、１１９  外部記憶装置、１２１  自動原稿搬送装置、１２３  原稿読取部、１２５  画像形成部、１２７  給紙部、１２８  後処理部、１２９  操作パネル、１３１  表示部、１３３  操作部、１３５  タッチパネル、１５１  オリジナルデータ取得部、１５３  データ分割部、１５５  領域特定部、１５７  編集用画像生成部、１５９  編集用電子メール送信部、１６１  再分割部、１６３  構成変更指示特定部、１６５  編集指示特定部、１６７  編集実行部、１７１  出力部、１７３  確認用データ送信部、１７５  確認指示特定部、１７７  画像形成制御部、１７９  データ送信制御部、２０１  ＣＰＵ、２０２  カメラ、２０３  フラッシュメモリ、２０４  無線通信部、２０５  通話部、２０６  表示部、２０７  操作部、２０８  バス。
【図１】
2014220652.tif 000003
【図２】
2014220652.tif 000004
【図３】
2014220652.tif 000005
【図４】
2014220652.tif 000006
【図５】
2014220652.tif 000007
【図６】
2014220652.tif 000008
【図７】
2014220652.tif 000009
【図８】
2014220652.tif 000010
【図９】
2014220652.tif 000011
【図１０】
2014220652.tif 000012
【図１１】
2014220652.tif 000013
【図１２】
2014220652.tif 000014
【図１３】
2014220652.tif 000015
【図１４】
2014220652.tif 000016
【図１５】
2014220652.tif 000017
【図１６】
2014220652.tif 000018
【図１７】
2014220652.tif 000019
【図１８】
2014220652.tif 000020
【図１９】
2014220652.tif 000021
【図２０】
2014220652.tif 000022
【図２１】
2014220652.tif 000023